(57)【要約】【課題】上方に開口したケースに用いるためのシャッターアセンブリを提供することを目的としている。【解決手段】長方形状の枠体１０と、その枠体の開口を開閉するシャッター本体２０とを備えたシャッターアセンブリ１００。閉じた状態では、シャッター本体２０を構成するスライド板２１が前後方向に並び、開いた状態では、スライド板２１が上下に重なる。シャッターアセンブリ１００と、冷却装置を備え、上方に開口したケース１０１とで、固定冷凍・冷蔵ショーケースＡを構成する。【選択図】図１
2019122489.tif 000002
【特許請求の範囲】
【請求項１】
上方に開口したケースに用いるシャッターアセンブリであって、
長方形状の枠体と、その枠体の開口を開閉するシャッター本体とを有し、
前記枠体は、平行に相対する一対の左右枠と、平行に相対する一対の前後枠とを備え、
前記一対の左右枠の内壁には、それぞれ長手方向に延びる３本以上のガイド溝が上下平行に形成されており、
前記シャッター本体は、３枚以上の長方形状のスライド板と、上下に隣接しているスライド板を連動させる連動機構とを備え、
前記シャッター本体は、前記スライド板が前後方向に階段状に並んで前記枠体の開口を閉じ、前記スライド板が上下に重なって枠体の開口を開く、
シャッターアセンブリ。
【請求項２】
前記連動機構は、前記スライド板の左右側辺の前側の上方または後側の下方に突出した一対の凸部と、前記スライド板の左右側辺の下方または上方に前後方向に延びる一対の溝と、それぞれの溝の前後端を閉じるストッパ壁とを備えている、
請求項１記載のシャッターアセンブリ。
【請求項３】
前記スライド板は、光透過性の合成樹脂の板本体と、その左右側辺に固定されたスライダーとを備え、
前記スライダーが、前記ガイド溝をスライドするスライド突起と、前記連動機構とを備えている、
請求項１または２記載のシャッターアセンブリ。
【請求項４】
前記スライド板は、板本体の前後辺に固定されたスペーサーをさらに備えている、
請求項３記載のシャッターアセンブリ。
【請求項５】
前記スライダーが、上部体と、下部体とからなり、
前記スライダーは、上部体と下部体とで板本体を挟むようにして板本体に固定される、
請求項３または４記載のシャッターアセンブリ。
【請求項６】
冷却装置を備え、上方に開口したケースと、その開口部に取り付けられた請求項１〜５いずれか記載のシャッターアセンブリとを有する、
冷凍・冷蔵ショーケース。
【発明の詳細な説明】
【技術分野】
【０００１】
本発明は、冷凍・冷蔵ショーケースに用いられるシャッターアセンブリおよびそれを用いた冷凍・冷蔵ショーケースに関する。
【背景技術】
【０００２】
スーパーやコンビニエンスストア等で冷凍食品やアイスクリーム等を陳列するために用いられる上方に開口した冷凍・冷蔵ショーケースが知られている。この冷凍・冷蔵ショーケースは、上方に開口しているため、顧客はショーケースに収容されている冷凍食品の全体を見渡すことができ、かつ、選択した冷凍食品の取り出しが簡単である。
例えば、特許文献１には、上方に開口した冷ケースに用いるための開閉ガラス扉であって、３枚のガラス板と、そのガラス板を支持するガイド溝が上下平行に３本形成されたレール構造体とを備えた開閉ガラス扉が開示されている。ガラス板は、それぞれのガイド溝に嵌められている。
特許文献２には、上面に開口するケース本体の開口部を２つに仕切るガイドレールを備えており、開口部を仕切るガイドレールのストッパを移動可能にしたショーケースが開示されている。このショーケースは、ストッパを移動することにより、ケース本体の開口部の最大開口面積を大きくできる。
【先行技術文献】
【特許文献】
【０００３】
【特許文献１】実用新案登録３１８３０１６号
【特許文献２】特開２００７−１４５９３号公報
【発明の概要】
【発明が解決しようとする課題】
【０００４】
しかし、特許文献１の開閉ガラス扉は、中央のガラス板を固定することを前提としており、冷ケースの開口部を開くときは、両側のガラス板を中央のガラス板に重ねる。そのため、常に真ん中は閉じた状態となる。この場合、冷ケース内に冷凍食品等を大量に収納するときや、冷ケースのメンテナンスのときに、固定ガラス板が邪魔となり、いちいち開閉ガラス扉を取り外さなければならない。
また、特許文献２のショーケースは、ストッパを移動させることにより、２つに仕切った開口部の一方の領域に引き戸を集めることができるが、最大開口面積は、ショーケースの開口部の１/２に過ぎない。またストッパは、ねじ等の固定手段で固定されているため、その固定手段の解除が煩雑である。
本発明は、上方に開口したケースに用いるためのシャッターアセンブリであって、開いたときの開口部の開口面積が大きいシャッターアセンブリを提供することを目的としている。また、本発明は、そのシャッターアセンブリを用いた冷凍・冷蔵ショーケースを提供することを目的としている。
【課題を解決するための手段】
【０００５】
本発明のシャッターアセンブリは、上方に開口したケースに用いるものであって、長方形状の枠体と、その枠体の開口を開閉するシャッター本体とを有し、前記枠体は平行に相対する一対の左右枠と、平行に相対する一対の前後枠とを備え、前記一対の左右枠の内壁には、それぞれ長手方向に延びる３本以上のガイド溝が上下平行に形成されており、前記シャッター本体は３枚以上の長方形状のスライド板と、上下に隣接しているスライド板を連動させる連動機構とを備え、前記シャッター本体は前記スライド板が前後方向に階段状に並んで前記枠体の開口を閉じ、前記スライド板が上下に重なって枠体の開口を開くことを特徴としている。
【０００６】
本発明のシャッターアセンブリは、３枚以上のスライド板を用いて、スライド板を前後方向に階段状に並べて枠体の開口を閉じ、スライド板を上下に重ねて枠体の開口を開ため、枠体の開口を広く開けることができ、冷凍食品等の収容が簡単にでき、また、シャッターアセンブリを取り外すことなくケースのメンテナンス等ができる。
またシャッター本体は上下に隣接しているスライド板を連動させる連動機構を備えているため、一番上または一番下の一枚のスライド板を動かすことによりシャッターアセンブリを簡単に開閉できる。また、その開始時の操作力を小さくできる。
【０００７】
本発明のシャッターアセンブリであって、前記連動機構が前記スライド板の左右側辺の前側の上方または後側の下方に突出した一対の凸部と、前記スライド板の左右側辺の下方または上方に前後方向に延びる一対の溝と、それぞれの溝の前後端を閉じるストッパ壁とを備えているものが好ましい。
本発明のシャッターアセンブリは、上方に開口しているケースの開口部を開閉するものであるため、シャッター本体のスライド板は実質的に水平に配置される。この場合、それぞれのスライド板の重心はスライド板の左右方向の真ん中になる。このような状態で連動機構をスライド板の左右両側に設けているため、スライド板を左右に傾けることなく、安定して移動させることができる。特に、複数のスライド板２１を一体となって動かすときでも安定に移動させることができる。
そして、一番上または一番下のスライド板を動かすことにより開閉操作は開始するため、開閉操作が簡単である。
【０００８】
本発明のシャッターアセンブリであって、前記スライド板が、光透過性の合成樹脂の板本体と、その左右側辺に固定されたスライダーとを備え、前記スライダーが、前記ガイド溝をスライドするスライド突起と、前記連動機構とを備えているものが好ましい。
この場合、スライド板を軽量化できるため、全体の開閉操作は一層軽い。常に摺動するスライダーを板本体と別部品とすることにより、スライド板の耐久性を上げることができる。
【０００９】
本発明のシャッターアセンブリであって、スライド板が板本体の前後辺に固定されたスペーサーをさらに備えているものが好ましい。この場合、上下の隣接しているスライド板の間隔が一定に保たれ、シャッター本体の開閉時のガタを防止できる。
【００１０】
本発明のシャッターアセンブリであって、スライダーが上部体と下部体とからなり、スライダーが上部体と下部体とで板本体を挟むようにして板本体に固定されるものが好ましい。この場合、スライダーが割れたりすることを防止でき、スライド板の耐久性を上げることができる。
【００１１】
本発明の冷凍・冷蔵ショーケースは、冷却装置を備えた上方に開口したケースと、その開口部に取り付けられた本発明のシャッターアセンブリとを有することを特徴としている。
本発明の冷凍・冷蔵ショーケースは、開口部を広く開けることができるため、冷凍食品または冷蔵食品等の収納が簡単にできる。また、ケースのメンテナンスもシャッターアセンブリをケースから取り外すことなくできる。
【図面の簡単な説明】
【００１２】
【図１】図１ａは本発明の一実施形態の冷凍・冷蔵ショーケースを閉じた状態を示す斜視図であり、図１ｂは開いた状態を示す斜視図である。
【図２】図２ａは図１の冷凍・冷蔵ショーケースに用いられるシャッターアセンブリの枠体を示す斜視図であり、図２ｂはそのＸ１−Ｘ１線断面図であり、図２ｃはＹ１−Ｙ１線断面の一部拡大図である。
【図３】図３ａは図１の冷凍・冷蔵ショーケースに用いられるシャッターアセンブリのスライド板を示す斜視図であり、図２ｂはそのＸ２−Ｘ２線断面図であり、図２ｃはそのＸ３−Ｘ３線断面図であり、図２ｄはＹ２−Ｙ２線断面の一部拡大図であり、図２ｅは図２ａの一部拡大図である。
【図４】図４ａは図１の冷凍・冷蔵ショーケースに用いられるシャッターアセンブリが開いているときのシャッター本体を示す斜視図であり、図４ｂはそのＹ３−Ｙ３線断面の一部拡大図であり、図４ｃはＸ４−Ｘ４線断面図である。
【図５】図５ａは図１の冷凍・冷蔵ショーケースに用いられるシャッターアセンブリの閉じているときのシャッター本体示す斜視図であり、図５ｂはＹ４−Ｙ４線断面の一部拡大図であり、図５ｃはＸ５−Ｘ５線断面の一部拡大図である。
【発明を実施するための形態】
【００１３】
図１ａ、図１ｂは、上方に開口したショーケースに用いるためのシャッターアセンブリ１００である。シャッターアセンブリ１００は、長方形状の枠体１０と、その枠体の開口を開閉するシャッター本体２０とを備えている。図１ａに示すように、枠体１０の開口を閉じた状態では、シャッター本体２０を構成するスライド板２１が前後方向に階段状に並ぶ。また、図１ｂに示すように、枠体１０の開口を開いた状態では、スライド板２１が上下に重なる。
例えば、シャッターアセンブリ１００と、冷却装置を備え、上方に開口したケース１０１とで、固定冷凍・冷蔵ショーケースＡを構成する。
【００１４】
枠体１０は、図２ａに示すように、平行に相対する一対の左枠１１および右枠１２と、平行に相対する一対の前枠１３および後枠１４とからなる。
左枠１１の内壁１１ａには、図２ｂ、図２ｃに示すように、左枠の長手方向に延びるガイド溝３１が５本上下平行に形成されている。ガイド溝３１は、内壁１１ａから内側に突出する上下平行な２本の突条３１ａによって形成される。なお、ガイド溝３１は、内壁１１ａから外側に向けて凹ませてもよい。右枠１２の内壁１２ａにも同様にガイド溝３１が形成される。左右枠のガイド溝３１は、それぞれ同じ高さに設けられている。そして、同じ高さの左右一対のガイド溝３１で、１枚のスライド板２１を支持し、かつ、スライド板２１の前後移動を案内する。
なお、ガイド溝３１の本数は、５本に限定されるものではなく、後述するスライド板２１の枚数と同じとする。
【００１５】
前枠１３の上端には、前方に延びる前方フランジ１３ａが形成されており、後枠１４の上端には、後方に延びる後方フランジ１４ａが形成されている。前方フランジ１３ａおよび後方フランジ１４ａは、シャッターアセンブリ１００をケース１０１の開口部に配置させたとき、ケース１０１の開口縁部に引っかける。
前枠１３の内壁１３ｂには、左枠１１（または右枠１２）の一番上のガイド溝３１と同じ高さに、前枠の長手方向に延びる衝撃吸収体３２が設けられている。また後枠１４の内壁１４ｂにも、左枠１１の一番上のガイド溝３１および一番下のガイド溝３１と同じ高さに、後枠の長手方向に延びる衝撃吸収体３２が設けられている。これらの衝撃吸収体３２は、シャッター本体２０を開閉するとき、スライド板２１による枠体１０への衝撃を吸収し、シャッター本体２０の開閉に伴う音を和らげる。
【００１６】
枠体１０の大きさは、収容する物に応じて適宜選択するが、一般的に前後の長さが３００〜１０００ｍｍ、好ましくは５００〜８００ｍｍであり、左右の幅が３００〜１０００ｍｍ、好ましくは５００〜８００ｍｍであり、高さが３０〜１５０ｍｍ、好ましくは５０〜８０ｍｍである。
前後枠の厚みは、５０〜５００ｍｍ、好ましくは１００〜３００ｍｍであり、左右枠の厚みは、５〜２０ｍｍ、好ましくは５〜１０ｍｍである。
枠体１０の材質は、アルミニウムやアルミニウム合金などの金属、または、ポリプロピレン、ポリエチレンテレフタレート等の硬質の合成樹脂からなる。
【００１７】
図１に戻って、シャッター本体２０は、５枚のスライド板２１と、上下に隣接しているスライド板を連動させる連動機構とを備えている。また、一番上のスライド板２１の上面にはハンドル２１ａが設けられている。
【００１８】
スライド板２１は、図３に示すように、光透過性の板本体２２と、板本体の左右側辺に設けられたスライダー２３と、板本体の前後側辺に設けられたスペーサー２４とを有する。
図１のシャッター本体２０では、５枚のスライド板２１を一組としている。しかし、その数は３枚以上であれば特に限定されない。しかし、好ましくは３枚〜８枚、特に好ましくは４枚〜６枚である。２枚の場合、シャッター本体を開いたときの最大開口面積が、ケース１０１の開口面積の１／２にしかならない。一方、９枚以上としても、シャッター本体を開いたときの最大開口面積は大きく変わらない。また枠体１０の厚みを大きくしなければならず、好ましくない。
スライド板２１は、左枠１１および右枠１２の距離と実質的に同じ幅と、前枠１３および後枠１４の距離の約１／５以下の長さとを有する長方形状の平板である。なお、長さは、前後枠の距離に対してスライド板の数に実質的に反比例する。
スライド板２１の厚みは、５〜１５ｍｍ、好ましくは８〜１２ｍｍである。薄い方が好ましいが、５ｍｍより薄いものは、強度が不十分である。この１５ｍｍより厚いと、枠体１０の厚みを大きくしなくてはならず、好ましくない。
【００１９】
図３に戻って、板本体２２は、ガラスまたは透光性の合成樹脂からなる平板である。合成樹脂とすることにより、板本体２２を軽量化できて好ましい。特に、透明または半透明の合成樹脂の押出成形品が好ましい。このような合成樹脂としては、アクリル樹脂、ポリカーボネート樹脂等の透明の合成樹脂が好ましく挙げられる。また、板本体２２には、曇り止めとして、フィルムを設けてもよい。このようなフィルムは、板本体２２の下面に設けるのが好ましい。このようなフィルムとしては、セルロース系フィルム等が好ましく挙げられる。
板本体２２の厚さは、０．５〜５ｍｍ、好ましくは１ｍｍ〜３ｍｍである。
【００２０】
スライダー２３は、図３に示すように、板本体２２の前後方向に延びており、左側または右側に突出したスライド突起２６と、上面の前部に設けられた凸部２７と、下面に設けられ、長手方向に延びる溝２８と、スライド突起２６の反対側に設けられ、長手方向に延びる板挿入部２９とを有する。溝２８の前端および後端は、ストッパ壁２８ａ、２８ｂとなっている。スライド突起２６は、枠体１０のガイド溝３１に挿入される（図４ｂ、図５ｂ参照）。そして、凸部２７は、上方に隣接するスライド板２１の溝２８に挿入されて、後述するようにスライド板の連動機構を構成する（図４ｃ、図５ｃ、参照）。この連動機構は、各スライド板２１のガイド機能も備えている。
【００２１】
またスライダー２３は、上部体２３ａと下部体２３ｂとから構成されている。上部体２３ａにスライド突起２６と、凸部２７が形成されており、下部体２３ｂに溝２８が形成されており、上部体２３ａと下部体２３ｂとの間に板挿入部２９が形成される。つまり、上部体２３ａと下部体２３ｂとの間に板本体２２が挟持される。スライダー２３と板本体２２とは、例えば、図３ａのようにねじ３５等を用いたり、当接部位に接着剤を用いたりすることにより固定する。スライダー２３の材質は、硬質の合成樹脂、好ましくは、摩擦係数の小さい硬質の合成樹脂が好ましい。このような合成樹脂としては、ポリアセタール樹脂等が好ましく挙げられる。
なお、この実施形態では、凸部２７をスライダーの前側の上面に、溝２８をスライダーの下面に設けているが、凸部２７をスライダーの後側の下面に、溝２８をスライダーの上面に設けても良い。また、スライド突起２６をスライダー２３の上部体２３ａに設けているが、下部体２３ｂに設けてもよい。また、スライダー２３を上部体および下部体の２つの部品から構成しているが、一体成形品としてもよい。
【００２２】
スペーサー２４は、板本体２２の左右方向に延びており、断面コ字状の板挿入部３６と、下方に突出する突出部３７とを有する断面Ｆ字状のものである。突出部３７は、下方に隣接しているスペーサー２４の上面、および、下方の板本体２２のスライダー２３の上面と当接するように構成されている。つまり、スペーサー２４の上面とスライダー２３の上面（凸部２７を除く）とは実質的に同じ高さとなっており、スペーサー２４の突出部３７はスライダー２３の下部体２３ｂより若干下方に突出している。一方、突出部３７は板本体２２とは当接しないように構成しており、スペーサー２４による開閉操作の抵抗力を最小限に抑えている。
【００２３】
このようにスライド板２１は構成されているため、図４ｂ、図５ｂに示すように、下方のスライド板の凸部２７が上方のスライド板の溝２８に挿入された状態で、それぞれのスライド板２１のスライド突起２６をガイド溝３１に嵌める。これにより、下方のスライド板２１の移動範囲は、下方のスライド板２１の凸部２７が移動できる上方のスライド板２１の溝２８内となる。
【００２４】
次に、シャッター本体２０の開閉動作を説明する。
シャッター本体２０の開いた状態では、図４ａ、図４ｂ、図４ｃに示すように、上方のスライド板２１の前側（および後側）のスペーサー２４と、下方のスライド板２１の前側（および後側）のスペーサー２４とが当接した状態となり、かつ、下方のスライド板の凸部２７が上方のスライド板の溝２８の前方のストッパ壁２８ａと当接または隣接している。つまり、５枚のスライド板２１が上下に重なった状態となる。そのため、ケース１０１の上部開口の４／５を開くことができる（図１ｂ参照）。
【００２５】
このシャッター本体２０の開いた状態から一番上のスライド板２１のハンドル２１ａを掴み、スライド板２１を前方（図４ｃの左側）に移動させる。すると、下方のスライド板２１の凸部２７に対して上方のスライド板２１の溝２８が前方に移動する。そして、凸部２７が溝２８の後方のストッパ壁２８ｂと当接する。さらに、一番上のスライド板２１を前方に移動させると、上下のスライド板２１は一体となって前方に移動する。このとき、凸部２７と溝２８は、スライド板２１の左右両側に設けられているため、スライド板２１は左右にガタつかない。またスペーサー２４の突出部３７が、下方のスライダー２３の上面に向かって延びているため、上下隣接したスライド板２１の間から冷気が逃げにくい。
同様にして、この上下一体となったスライド板２１を前方に移動させると、さらにその下のスライド板２１が一体となる。そして、５枚のスライド板２１が一体となったときが、シャッター本体２０の閉じた状態となる。
【００２６】
シャッター本体２０を閉じた状態では、図５ａ、図５ｂ、図５ｃに示すように、下方のスライド板２１の凸部２７が上方のスライド板２１の溝２８の後方のストッパ壁２８ｂと当接または隣接する。つまり、５枚のスライド板２１が階段状に前後方向に並ぶ。
再度、シャッター本体２０を開く場合は、一番上のスライド板２１のハンドル２１ａを掴み、スライド板２１を後方（図５ｃの右側）に移動させる。これにより順次下方のスライド板２１が一番上のスライド板２１と一体となり、シャッター本体２０を閉じることができる。
【００２７】
このようにシャッター本体２０は、５枚のスライド板を用いて開口を開閉するため、ケース１０１の開口を広く開けることができる。そのため、冷凍食品等の収容が簡単にできる。また、シャッターアセンブリ１００を取り外すことなくケース１０１のメンテナンス等もできる。
開閉操作を開始するときは、一番上のスライド板２１を動かすことになるため、開始時の操作力を小さくできる。
連動機構をスライド板２１の左右両側に設けているため、スライド板２１を左右に傾くことなく、安定して前後移動させることができる。特に、複数のスライド板２１が一体となったときでも安定に移動させることができる。さらに、スライド板２１の前後辺にスライダー２４を設けているため、上下のガタも生じにくい。
そして、シャッター本体２０のスライド板２１の板本体２２を合成樹脂製としているため、各スライド板２１を軽量化でき、全体の開閉操作も軽い。
【符号の説明】
【００２８】
Ａ  冷凍・冷蔵ショーケース
１０  枠体
１１  左枠
１１ａ  内壁
１２  右枠
１２ａ  内壁
１３  前枠
１３ａ  前方フランジ
１３ｂ  内壁
１４  後枠
１４ａ  後方フランジ
１４ｂ  内壁
２０  シャッター本体
２１  スライド板
２１ａ  ハンドル
２２  板本体
２３  スライダー
２３ａ  上部体
２３ｂ  下部体
２４  スペーサー
２６  スライド突起
２７  凸部
２８  溝
２８ａ、２８ｂ  ストッパ壁
２９  板挿入部
３１  ガイド溝
３１ａ  突条
３２  衝撃吸収体
３５  ねじ
３６  板挿入部
３７  突出部
１００  シャッターアセンブリ
１０１  ケース
【図１】
2019122489.tif 000003
【図２】
2019122489.tif 000004
【図３】
2019122489.tif 000005
【図４】
2019122489.tif 000006
【図５】
2019122489.tif 000007